(57)【特許請求の範囲】
【請求項１】
光源部と、
各々が、Ｒ（赤），Ｇ（緑），Ｂ（青）の３色のサブ画素と、これらの３色よりも高輝度を示す色であるＺのサブ画素とを含んで構成された複数の画素を有し、前記光源部からの射出光を前記Ｒ，Ｇ，Ｂの３色に対応する入力映像信号に基づいて変調することにより映像表示を行う液晶表示パネルと、
前記入力映像信号に基づいて、前記Ｒ，Ｇ，Ｂ，Ｚの４色に対応する出力映像信号と前記光源部における点灯信号とをそれぞれ生成する出力信号生成部を有し、前記出力映像信号を用いて前記液晶表示パネルにおける前記Ｒ，Ｇ，Ｂ，Ｚの各サブ画素に対する表示駆動を行うと共に、前記点灯信号を用いて前記光源部に対する発光駆動を行う表示制御部と
を備え、
前記光源部からの射出光の色度点が、白色色度点よりも黄色側に設定され、
前記出力信号生成部は、
前記入力映像信号に基づいて前記点灯信号を生成し、前記入力映像信号の信号レベルとこの点灯信号の信号レベルとの演算によるディミング処理を行うと共に、
前記入力映像信号が白を示す映像信号であるときに、前記光源部からの射出光に基づいて前記液晶表示パネルから射出される表示光の色度点が白色色度点となるように、前記ディミング処理後の映像信号に対して所定の色度点調整を行い、
この色度点調整後の映像信号に対して所定の色変換処理を行うことにより、前記出力映像信号を生成する
液晶表示装置。
【請求項２】
色再現特性を示すＨＳＶ色空間において、
Ｙ（黄色）を挟んでＭ（マゼンダ）からＣ（シアン）へと亘る色範囲に、明度Ｖの値がより大きくなる領域を有する
請求項１に記載の液晶表示装置。
【請求項３】
前記Ｚのサブ画素内に、前記液晶表示パネル内の液晶層の分光透過率における青色成分を制限するための黄色部材が設けられている
請求項１または請求項２に記載の液晶表示装置。
【請求項４】
各画素は、
前記Ｒ，Ｇ，Ｂの３色のサブ画素と、
前記Ｚのサブ画素としてのＷ（白）のサブ画素とを含む
請求項１ないし請求項３のいずれか１項に記載の液晶表示装置。
【請求項５】
前記３色のサブ画素には、Ｒ，Ｇ，Ｂの各色に対応するカラーフィルタが配設される一方、前記Ｗのサブ画素には、カラーフィルタが配設されていない
請求項４に記載の液晶表示装置。
【請求項６】
前記Ｗのサブ画素内に、黄色顔料が分散されている
請求項５に記載の液晶表示装置。
【請求項７】
各画素は、
前記Ｒ，Ｇ，Ｂの３色のサブ画素と、
前記Ｚのサブ画素としてのＹ（黄色）のサブ画素とを含む
請求項１ないし請求項３のいずれか１項に記載の液晶表示装置。
【発明の詳細な説明】
【技術分野】
【０００１】
本発明は、例えば、赤（Ｒ），緑（Ｇ），青（Ｂ），白（Ｗ）の４色のサブ画素からなるサブ画素構造を有する液晶表示装置に関する。
【背景技術】
【０００２】
近年、薄型テレビ、携帯端末装置のディスプレイとして、画素毎にＴＦＴ（Thin Film Transistor；薄膜トランジスタ）を設けたアクティブマトリクス型の液晶表示装置（ＬＣＤ；Liquid Crystal Display）が多く用いられている。このような液晶表示装置では、一般に、画面上部から下部に向かって、各画素の補助容量素子および液晶素子に映像信号が線順次に書き込まれることにより各画素が駆動される。
【０００３】
液晶表示装置における映像表示の際の低消費電力化を図るため、従来、液晶表示パネルにおける各画素を４色のサブ画素（サブピクセル）を用いて構成したものが提案されている（例えば、特許文献１〜３参照）。この４色のサブ画素とは、具体的には、赤（Ｒ），緑（Ｇ），青（Ｂ）の３色のサブ画素と、これらの３色よりも高輝度を示す色（Ｚ；例えば白（Ｗ）や黄（Ｙ）など）のサブ画素とのことである。このような４色のサブ画素用の映像信号を用いて映像表示を行った場合、従来のＲ，Ｇ，Ｂの３色のサブ画素構造の各画素に対してこれら３色用の映像信号を供給して映像表示を行う場合と比べ、輝度効率を向上させることができる。
【０００４】
また、上記特許文献３には、表示映像に応じて（映像信号の信号レベルに応じて）、バックライトの輝度をアクティブ（動的）に制御する（ディミング処理を行う）ようにした液晶表示装置も提案されている。この手法を用いた場合、表示輝度を保持しつつ、低消費電力化やダイナミックレンジの拡大を図ることが可能となる。
【先行技術文献】
【特許文献】
【０００５】
【特許文献１】特公平４−５４２０７号公報
【特許文献２】特公平４−３５５７２２号公報
【特許文献３】特許第４３５４４９１号公報
【発明の概要】
【発明が解決しようとする課題】
【０００６】
ところで、液晶表示装置では、バックライトから液晶層へ入射した光が映像信号の信号レベルに応じて変調され、透過光（表示光）の光量（輝度）が制御される。この液晶層からの透過光の分光特性は一般に階調依存性を示すことが知られており、映像信号の信号レベルが低くなるのに従って、透過率ピークが短波長側（青色光側）にシフトする。ここで、従来のＲ，Ｇ，Ｂの３色のサブ画素構造では、所定の波長領域の光を選択的に透過させるためのカラーフィルタが各サブ画素に配置されている。したがって、各色用の映像信号における最大信号レベルでの色度点を基準とした場合でも、上記した透過率ピークの波長シフトによって大きな弊害は生じない。
【０００７】
一方で、上記した４色のサブ画素構造を用いた液晶表示装置では、Ｚのサブ画素において高輝度特性を示すことから、このＺのサブ画素からの透過光の分光特性が、映像信号の信号レベルに応じて大きく変化する。このため、画素全体からの透過光（表示光）の色度点も、映像信号の信号レベルに依存して大きくずれることになる。特に、Ｚのサブ画素としてＷのサブ画素を採用した場合には、このＷのサブ画素内にはカラーフィルタが配置されていないことから、このような信号レベルに応じた表示光の色度点の変動が大きい。例えば、Ｗのサブ画素における透過率が相対的に高い液晶分光特性を示すように、つまりＧの波長領域付近に透過率ピークが位置するように、Ｗのサブ画素でのセル厚や駆動電圧を設定した場合、以下のようになる。すなわち、Ｗのサブ画素での最大信号レベルよりも低い信号レベルにおいて、Ｂの波長領域に透過率ピークを持つようになる。
【０００８】
このように、Ｒ，Ｇ，Ｂ，Ｚの４色のサブ画素構造の液晶表示装置では、信号レベルに応じて表示光の色度点の変動（色ずれ）が生じてしまい、画質が低下してしまうという問題があった。なお、上記したバックライト輝度のアクティブ制御を併用した場合には、低消費電力化やダイナミックレンジの拡大といった利点を十分には得られない場合が生じる。
【０００９】
本発明はかかる問題点に鑑みてなされたもので、その目的は、Ｒ，Ｇ，Ｂ，Ｚの４色のサブ画素構造を用いて映像表示を行う際に、色ずれによる画質低下を抑制することが可能な液晶表示装置を提供することにある。
【課題を解決するための手段】
【００１０】
本発明の液晶表示装置は、光源部と、各々が、Ｒ（赤），Ｇ（緑），Ｂ（青）の３色のサブ画素と、これらの３色よりも高輝度を示す色であるＺのサブ画素とを含んで構成された複数の画素を有し、光源部からの射出光をＲ，Ｇ，Ｂの３色に対応する入力映像信号に基づいて変調することにより映像表示を行う液晶表示パネルと、入力映像信号に基づいてＲ，Ｇ，Ｂ，Ｚの４色に対応する出力映像信号と光源部における点灯信号とをそれぞれ生成する出力信号生成部を有し、この出力映像信号を用いて液晶表示パネルにおけるＲ，Ｇ，Ｂ，Ｚの各サブ画素に対する表示駆動を行うと共に、点灯信号を用いて光源部に対する発光駆動を行う表示制御部とを備えたものである。ここで、光源部からの射出光の色度点が、白色色度点よりも黄色側に設定されている。また、出力信号生成部は、入力映像信号に基づいて点灯信号を生成し、入力映像信号の信号レベルとこの点灯信号の信号レベルとの演算によるディミング処理を行うと共に、入力映像信号が白を示す映像信号であるときに、光源部からの射出光に基づいて液晶表示パネルから射出される表示光の色度点が白色色度点となるように、ディミング処理後の映像信号に対して所定の色度点調整を行い、この色度点調整後の映像信号に対して所定の色変換処理を行うことにより、出力映像信号を生成する。なお、「入力映像信号が白を示す映像信号であるとき」とは、Ｒ，Ｇ，Ｂに対応する各映像信号の輝度レベル（信号レベル，輝度階調）がいずれも最大値となっている場合に相当する。
【００１１】
本発明の液晶表示装置では、Ｒ，Ｇ，Ｂの３色に対応する入力映像信号に基づいて所定の変換処理が行われることにより、Ｒ，Ｇ，Ｂ，Ｚの４色に対応する出力映像信号が生成される。この際、光源部からの射出光の色度点が白色色度点よりも黄色側に設定されていると共に、入力映像信号が白を示す映像信号であるときに、光源部からの射出光に基づいて液晶表示パネルから射出される表示光の色度点が白色色度点となるように色度点調整が行われる。これにより、Ｚに対応する出力映像信号の輝度レベル（信号レベル）の大小に応じて、Ｚのサブ画素からの出射光（透過光）におけるピーク波長領域が変動したとしても、入力映像信号が白を示す映像信号であるときに、表示光の色度点が白色色度点を示すようになる。すなわち、そのようなＺのサブ画素からの出射光におけるピーク波長領域の変動に起因した、表示光の色ずれが抑えられる。
【発明の効果】
【００１２】
本発明の液晶表示装置によれば、光源部からの射出光の色度点を白色色度点よりも黄色側に設定すると共に、入力映像信号が白を示す映像信号であるときに、光源からの射出光に基づいて液晶表示パネルから射出される表示光の色度点が白色色度点となるように色度点調整を行うようにしたので、Ｚのサブ画素からの出射光におけるピーク波長領域の変動に起因した表示光の色ずれを抑えることができる。よって、Ｒ，Ｇ，Ｂ，Ｚの４色のサブ画素構造を用いて映像表示を行う際に、色ずれによる画質低下を抑制することが可能となる。
【図面の簡単な説明】
【００１３】
【図１】本発明の一実施の形態に係る液晶表示装置の全体構成を表すブロック図である。
【図２】図１に示した画素のサブ画素構造例を表す平面模式図である。
【図３】図２に示した各サブ画素の詳細構成例を表す回路図である。
【図４】図１に示した出力信号生成部の詳細構成を表すブロック図である。
【図５】図４に示したＲＧＢ／ＲＧＢＷ変換部の詳細構成を表すブロック図である。
【図６】ＲＧＢ／ＲＧＢＷ変換部における変換動作の一例について説明するための模式図である。
【図７】ＲＧＢ／ＲＧＢＷ変換部における変換動作の他の例について説明するための模式図である。
【図８】ＲＧＢ／ＲＧＢＷ変換部における変換動作の他の例について説明するための模式図である。
【図９】比較例に係るＷ信号の信号レベルに応じた分光透過率の波長依存性の一例を示す特性図である。
【図１０】比較例に係るＲ，Ｇ，Ｂ，Ｗの各サブ画素における分光透過率の波長依存性の一例を示す特性図である。
【図１１】ＲＧＢＷサブ画素構造における理想的な色再現特性の一例をＨＳＶ色空間において表す特性図である。
【図１２】比較例に係るＲＧＢＷサブ画素構造における色再現特性の一例をＨＳＶ色空間において表す特性図である。
【図１３】比較例に係るＲＧＢＷサブ画素構造におけるＷ信号の信号レベルと、このＷ信号の信号レベルをＲ，Ｇ，Ｂ信号に置き換えた場合の信号レベルとの関係の一例を表す特性図である。
【図１４】比較例に係る彩度と明度またはその逆数との関係の一例を、Ｂ，Ｙの各色相について表わす特性図である。
【図１５】実施の形態に係るバックライトを用いた場合のＲＧＢＷサブ画素構造における色再現特性の一例（実施例）をＨＳＶ色空間において表す特性図である。
【図１６】実施の形態に係る実施例１における彩度と明度またはその逆数との関係を、Ｂ，Ｙの各色相について表わす特性図である。
【図１７】実施の形態に係る実施例２における彩度と明度またはその逆数との関係を、Ｂ，Ｙの各色相について表わす特性図である。
【図１８】変形例１に係る実施例３におけるＷ信号の信号レベルに応じた分光透過率の波長依存性の一例を示す特性図である。
【図１９】変形例１に係る実施例３におけるＷ信号の信号レベルと、このＷ信号の信号レベルをＲ，Ｇ，Ｂ信号に置き換えた場合の信号レベルとの関係の一例を表す特性図である。
【図２０】変形例１に係る実施例３における彩度と明度またはその逆数との関係を、Ｂ，Ｙの各色相について表わす特性図である。
【図２１】変形例２に係る画素のサブ画素構造例を表す平面模式図である。
【図２２】変形例２に係る出力信号生成部内に設けられるＲＧＢ／ＲＧＢＺ変換部の詳細構成を表すブロック図である。
【発明を実施するための形態】
【００１４】
以下、本発明の実施の形態について、図面を参照して詳細に説明する。なお、説明は以下の順序で行う。
１．実施の形態（ＲＧＢＷパネルを用いた液晶表示装置の例）
２．変形例１（Ｗサブ画素内に黄色顔料を分散させた例）
３．変形例２（ＲＧＢＺパネルを用いた液晶表示装置の例）
【００１５】
＜実施の形態＞
［液晶表示装置１の全体構成］
図１は、本発明の一実施の形態に係る液晶表示装置（液晶表示装置１）の全体のブロック構成を表すものである。
【００１６】
液晶表示装置１は、外部から入力される入力映像信号Ｄinに基づいて映像表示を行うものである。この液晶表示装置１は、液晶表示パネル２、バックライト３（光源部）、映像信号処理部４１、出力信号生成部４２、タイミング制御部４３、バックライト駆動部５０、データドライバ５１およびゲートドライバ５２を有している。これらのうち、映像信号処理部４１、出力信号生成部４２、タイミング制御部４３、バックライト駆動部５０、データドライバ５１およびゲートドライバ５２が、本発明における「表示制御部」の一具体例に対応している。
【００１７】
液晶表示パネル２は、後述するバックライト３から射出された光を入力映像信号Ｄinに基づいて変調することにより、この入力映像信号Ｄinに基づく映像表示を行うものである。この液晶表示パネル２は、全体としてマトリクス状に配列された複数の画素２０を有している。
【００１８】
図２（Ａ），（Ｂ）はそれぞれ、各画素２０におけるサブ画素（サブピクセル）構造例を平面模式図で表わしたものである。各画素２０は、赤（Ｒ）色に対応するサブ画素２０Ｒと、緑（Ｇ）色に対応するサブ画素２０Ｇと、青（Ｂ）色に対応するサブ画素２０Ｂと、これらの３色よりも高輝度を示す白（Ｗ）のサブ画素２０Ｗとを有している。これらＲ，Ｇ，Ｂ，Ｗの４色のサブ画素２０Ｒ，２０Ｇ，２０Ｂ，２０Ｗのうち、Ｒ，Ｇ，Ｂの３色に対応するサブ画素２０Ｒ，２０Ｇ，２０Ｂには、Ｒ，Ｇ，Ｂの各色に対応するカラーフィルタ２４Ｒ，２４Ｇ，２４Ｂが配設されている。すなわち、Ｒに対応するサブ画素２０ＲにはＲに対応するカラーフィルタ２４Ｒが配設され、Ｇに対応するサブ画素２０ＧにはＧに対応するカラーフィルタ２４Ｇが配設され、Ｂに対応するサブ画素２０ＢにはＢに対応するカラーフィルタ２４Ｂが配設されている。一方、Ｗに対応するサブ画素２０Ｗには、カラーフィルタは配設されていない。
【００１９】
ここで、図２（Ａ）に示した例では、画素２０内において、４つのサブ画素２０Ｒ，２０Ｇ，２０Ｂ，２０Ｗが、この順に一列に（例えば水平（Ｈ）方向に沿って）並んで配置されている。一方、図２（Ｂ）に示した例では、画素２０内において、４つのサブ画素２０Ｒ，２０Ｇ，２０Ｂ，２０Ｗが、２行×２列でマトリクス状（格子状）に配置されている。ただし、画素２０内における４つのサブ画素２０Ｒ，２０Ｇ，２０Ｂ，２０Ｗの配置構成は、これらの例には限られず、他の配置構成としてもよい。
【００２０】
本実施の形態の画素２０では、このような４色のサブ画素構造となっていることにより、詳細は後述するが、従来のＲ，Ｇ，Ｂの３色のサブ画素構造の場合と比べ、映像表示の際の輝度効率を向上させることが可能となっている。
【００２１】
図３は、各サブ画素２０Ｒ，２０Ｇ，２０Ｂ，２０Ｗ内の画素回路の回路構成例を表したものである。各サブ画素２０Ｒ，２０Ｇ，２０Ｂ，２０Ｗは、液晶素子２２、ＴＦＴ素子２１および補助容量素子２３を有している。各サブ画素２０Ｒ，２０Ｇ，２０Ｂ，２０Ｗには、駆動対象の画素を線順次で選択するためのゲート線Ｇと、駆動対象の画素に対して映像電圧（後述するデータドライバ５１から供給される映像電圧）を供給するためのデータ線Ｄと、補助容量線Ｃｓとが接続されている。
【００２２】
液晶素子２２は、データ線ＤからＴＦＴ素子２１を介して一端に供給される映像電圧に応じて、表示動作を行うものである。この液晶素子２２は、例えばＶＡ（Vertical Alignment）モードやＴＮ（Twisted Nematic）モードの液晶よりなる液晶層（図示せず）を、一対の電極（図示せず）で挟み込んだものである。液晶素子２２における一対の電極のうちの一方（一端）は、ＴＦＴ素子２１のドレインおよび補助容量素子２３の一端に接続され、他方（他端）は接地されている。補助容量素子２３は、液晶素子２２の蓄積電荷を安定化させるための容量素子である。この補助容量素子２３の一端は、液晶素子２２の一端およびＴＦＴ素子２１のドレインに接続され、他端は補助容量線Ｃｓに接続されている。ＴＦＴ素子２１は、液晶素子２２および補助容量素子２３の一端同士に対し、映像信号Ｄ１に基づく映像電圧を供給するためのスイッチング素子であり、ＭＯＳ−ＦＥＴ（Metal Oxide Semiconductor−Field Effect Transistor）により構成されている。このＴＦＴ素子２１のゲートはゲート線Ｇ、ソースはデータ線Ｄにそれぞれ接続されると共に、ドレインは液晶素子２２および補助容量素子２３の一端同士に接続されている。
【００２３】
バックライト３は、液晶表示パネル２に対して光を照射する光源部であり、例えば発光素子として、冷陰極管（ＣＣＦＬ；Cold Cathode Fluorescent Lamp）や、発光ダイオード（ＬＥＤ；Light Emitting Diode）などを用いて構成されている。バックライト３は、詳細は後述するが、入力映像信号Ｄinの輝度レベル（信号レベル）に応じた発光駆動（発光輝度のアクティブ制御（動的制御））がなされるようになっている。
【００２４】
ここで本実施の形態では、バックライト３からの射出光の色度点が、白色色度点から外れた位置に設定されている。具体的には、ここでは、バックライト３からの射出光の色度点が、白色色度点よりも黄色（Ｙ）側に設定されている。このような射出光の色度点の設定は、例えば、青色ＬＥＤと、赤色発光用の蛍光体および緑色発光用の蛍光体とを組み合わせてなる白色ＬＥＤを光源として用いた場合には、以下のようにして実現することができる。すなわち、上記した蛍光体の添加量を調整することにより、バックライト３からの射出光の分光特性において相対的に赤色成分および緑色成分を増加させ、この射出光の色度点を白色色度点よりもＹ側に設定することができる。
【００２５】
なお、この場合における赤色発光用の蛍光体としては、例えば、（Ｃａ，Ｓｒ，Ｂａ）Ｓ：Ｅｕ2+、（Ｃａ，Ｓｒ，Ｂａ）2Ｓｉ5Ｎ8：Ｅｕ2+、ＣａＡｌＳｉＮ3：Ｅｕ2+などが挙げられる。また、緑色発光用の蛍光体としては、例えば、ＳｒＧａ2Ｓ4：Ｅｕ2+、Ｃａ3Ｓｃ2Ｓｉ3Ｏ12：Ｃｅ3+などが挙げられる。
【００２６】
映像信号処理部４１は、Ｒ，Ｇ，Ｂの３原色に対応する画素信号からなる入力映像信号Ｄinに対して、例えば高画質化のための所定の画像処理（例えば、シャープネス処理やガンマ補処理など）を行うものである。これにより、Ｒ，Ｇ，Ｂの３色に対応する画素信号からなる映像信号Ｄ１（Ｒ用の画素信号Ｄ１ｒ，Ｇ用の画素信号Ｄ１ｇ，Ｂ用の画素信号Ｄ１ｂ）が生成されるようになっている。
【００２７】
出力信号生成部４２は、映像信号処理部４１から供給される映像信号Ｄ１（Ｄ１ｒ，Ｄ１ｇ，Ｄ１ｂ）に基づいて、所定の信号処理（変換処理）を行うものである。これにより、バックライト３における発光レベル（点灯レベル）を示す点灯信号ＢＬ１と、映像信号Ｄ４（Ｒ用の画素信号Ｄ４ｒ，Ｇ用の画素信号Ｄ４ｇ，Ｂ用の画素信号Ｄ４ｂ，Ｗ用の画素信号Ｄ４ｗ）（出力映像信号）とをそれぞれ生成するようになっている。なお、この出力信号生成部４２の詳細構成については後述する（図４〜図８）。
【００２８】
タイミング制御部４３は、バックライト駆動部５０、ゲートドライバ５２およびデータドライバ５１の駆動タイミングを制御すると共に、出力信号生成部４２から供給される映像信号Ｄ４をデータドライバ５１へ供給するものである。
【００２９】
ゲートドライバ５２は、タイミング制御部４３によるタイミング制御に従って、液晶表示パネル２内の各画素２０（各サブ画素２０Ｒ，２０Ｇ，２０Ｂ，２０Ｗ）を、前述したゲート線Ｇに沿って線順次駆動するものである。一方、データドライバ５１は、液晶表示パネル２の各画素２０（各サブ画素２０Ｒ，２０Ｇ，２０Ｂ，２０Ｗ）へそれぞれ、タイミング制御部４３から供給される、映像信号Ｄ４に基づく映像電圧を供給するものである。すなわち、サブ画素２０ＲにはＲ用の画素信号Ｄ４ｒを供給し、サブ画素２０ＧにはＧ用の画素信号Ｄ４ｇを供給し、サブ画素２０ＢにはＢ用の画素信号Ｄ４ｂを供給し、サブ画素２０ＷにはＷ用の画素信号Ｄ５ｗを供給する。具体的には、データドライバ５１は、映像信号Ｄ４に対してＤ／Ａ（デジタル／アナログ）変換を施すことにより、アナログ信号である映像信号（上記映像電圧）を生成し、各画素２０（各サブ画素２０Ｒ，２０Ｇ，２０Ｂ，２０Ｗ）へ出力する。このようにして、映像信号Ｄ４に基づく表示駆動が、液晶表示パネル２内の各画素２０（各サブ画素２０Ｒ，２０Ｇ，２０Ｂ，２０Ｗ）に対してなされるようになっている。
【００３０】
バックライト駆動部５０は、タイミング制御部４３によるタイミング制御に従って、部出力信号生成部４２から出力される点灯信号ＢＬ１に基づく、バックライト３に対する発光駆動（点灯駆動）を行うものである。具体的には、詳細は後述するが、入力映像信号Ｄinの輝度レベル（信号レベル）に応じた発光駆動（発光輝度のアクティブ制御（動的制御））を行う。
【００３１】
［出力信号生成部４２の詳細構成］
次に、図４〜図８を参照して、出力信号生成部４２の詳細構成について説明する。図４は、出力信号生成部４２のブロック構成を表したものである。この出力信号生成部４２は、ＢＬレベル算出部４２１、ＬＣＤレベル算出部４２２、色度点調整部４２３およびＲＧＢ／ＲＧＢＷ変換部４２４を有している。
【００３２】
ＢＬレベル算出部４２１は、映像信号Ｄ１（Ｄ１ｒ，Ｄ１ｇ，Ｄ１ｂ）に基づいて、バックライト３における点灯信号ＢＬ１を生成するものである。具体的には、映像信号Ｄ１の輝度レベル（信号レベル）を解析することにより、輝度レベルに応じた点灯信号ＢＬ１を得るようになっている。すなわち、例えば、Ｒ用の画素信号Ｄ１ｒ，Ｇ用の画素信号Ｄ１ｇ，Ｂ用の画素信号Ｄ１ｂのうちの最も輝度レベルが高い画素信号を抽出し、その画素信号の輝度レベルに対応する点灯信号ＢＬ１を生成する。
【００３３】
ＬＣＤレベル算出部４２２は、映像信号Ｄ１（Ｄ１ｒ，Ｄ１ｇ，Ｄ１ｂ）と、ＢＬレベル算出部４２１から出力される点灯信号ＢＬ１とに基づいて、映像信号Ｄ２（Ｒ用の画素信号Ｄ２ｒ，Ｇ用の画素信号Ｄ２ｇ，Ｂ用の画素信号Ｄ２ｂ）を生成するものである。具体的には、映像信号Ｄ１と点灯信号ＢＬ１とに基づいて所定のディミング処理を行う（ここでは、映像信号Ｄ１の信号レベルを点灯信号ＢＬ１の信号レベルで除算する）ことにより、映像信号Ｄ２を生成している。詳細には、ＬＣＤレベル算出部４２２は以下の（１）〜（３）式を用いて、映像信号Ｄ２を生成する。
Ｄ２ｒ＝（Ｄ１ｒ／ＢＬ１）  ……（１）
Ｄ２ｇ＝（Ｄ１ｇ／ＢＬ１）  ……（２）
Ｄ２ｂ＝（Ｄ１ｂ／ＢＬ１）  ……（３）
【００３４】
色度点調整部４２３は、映像信号Ｄ２（Ｄ２ｒ，Ｄ２ｇ，Ｄ２ｂ）に対して所定の色度点調整を行うことにより、映像信号Ｄ３（Ｄ３ｒ，Ｄ３ｇ，Ｄ３ｂ）を生成するものである。具体的には、映像信号Ｄ２（Ｄ１）が白（Ｗ）を示す映像信号であるときに、バックライト３からの射出光に基づいて液晶表示パネル２から射出される表示光の色度点が白色色度点となるように、色度点調整を行う。なお、「映像信号Ｄ２（Ｄ１）がＷを示す映像信号であるとき」とは、各画素信号のＤ２ｒ，Ｄ２ｇ，Ｄ２ｂ（Ｄ１ｒ，Ｄ１ｇ，Ｄ１ｂ）の輝度レベル（信号レベル，輝度階調）がいずれも最大値となっている場合に相当する。
【００３５】
この際、色度点調整部４２３は、例えば以下の（４）式により規定される変換行列（変換マトリクス）Ｍd2→d3を用いて、そのような色度点調整を行う。すなわち、映像信号Ｄ２（画素信号Ｄ２ｒ，Ｄ２ｇ，Ｄ２ｂ）に対して変換行列Ｍd2→d3を乗算する（行列演算を行う）ことにより、映像信号Ｄ３（画素信号Ｄ３ｒ，Ｄ３ｇ，Ｄ３ｂ）を生成する。ここで、この変換行列Ｍd2→d3は、（４）式に示したように、変換行列Ｍd2→XYZと変換行列ＭXYZ→d3との乗算（行列演算）により得ることができる。これらのうち、変換行列Ｍd2→XYZは、白色色度点における、映像信号Ｄ２から３刺激値（Ｘ，Ｙ，Ｚ）への変換行列である。一方、変換行列ＭXYZ→d3は、この３刺激値（Ｘ，Ｙ，Ｚ）から映像信号Ｄ３への変換行列であり、以下の（５）式を用いて求めることができる。この（５）式において、（Ｘｗ，Ｙｗ，Ｚｗ）は、サブ画素２０Ｗにおける３刺激値を表し、（Ｗｒ，Ｗｇ，Ｗｂ）は、サブ画素２０Ｗにおける信号レベルをサブ画素２０Ｒ，２０Ｇ，２０Ｂにおける信号レベルに置き換えた値を表している。なお、この色度点調整部４２３における動作（色度点調整動作）の詳細については後述する。
【００３６】
【数１】
0005593920.tif 000002
【００３７】
（ＲＧＢ／ＲＧＢＷ変換部４２４）
ＲＧＢ／ＲＧＢＷ変換部４２４は、色度点調整部４２３から出力される、Ｒ，Ｇ，Ｂの３色に対応する映像信号Ｄ３（Ｄ３ｒ，Ｄ３ｇ，Ｄ３ｂ）に対して、所定のＲＧＢ／ＲＧＢＷ変換処理（色変換処理）を行うものである。これにより、Ｒ，Ｇ，Ｂ，Ｗの４色に対応する映像信号Ｄ４（Ｄ４ｒ，Ｄ４ｇ，Ｄ４ｂ，Ｄ４ｗ）が生成されるようになっている。
【００３８】
図５は、ＲＧＢ／ＲＧＢＷ変換部４２４のブロック構成を表したものである。このＲＧＢ／ＲＧＢＷ変換部４２４は、Ｗ１算出部４２４−１、Ｗ１算出部４２４−２、Ｍｉｎ選択部４２４−３、乗算部４２４−４Ｒ，４２４−４Ｇ，４２４−４Ｂ、減算部４２４−５Ｒ，４２４−５Ｇ，４２４−５Ｂおよび乗算部４２４−６Ｒ，４２４−６Ｇ，４２４−６Ｂを有している。なお、ここでは、入力信号である画素信号Ｄ３ｒ，Ｄ３ｇ，Ｄ３ｂをそれぞれ、Ｒ０，Ｇ０，Ｂ０と、出力信号である画素信号Ｄ４ｒ，Ｄ４ｇ，Ｄ４ｂ，Ｄ４ｗをそれぞれ、Ｒ１，Ｇ１，Ｂ１，Ｗ１として説明する。
【００３９】
ここで最初に、４色のサブ画素構造を用いる理由および色変換処理の際の算出式について、サブ画素２０Ｗの上位概念としての、Ｒ，Ｇ，Ｂの３色よりも高輝度を示す色（Ｚ）のサブ画素２０Ｚを用いた場合を例に説明する。この高輝度を示す色（Ｚ）としては、例えば黄（Ｙ）や白（Ｗ）等が挙げられる。なお、ここでは、上記した画素信号Ｄ４ｗ，Ｗ１をそれぞれ、画素信号Ｄ４ｚ，Ｚ１として説明する。
【００４０】
（４色のサブ画素構造を用いる理由）
まず、サブ画素２０Ｒ，２０Ｇ，２０Ｂ，２０Ｚ（２０Ｗ）による４色のサブ画素構造を用いる理由は、サブ画素２０Ｚ（２０Ｗ）における高輝度特性（サブ画素２０Ｒ，２０Ｇ，２０Ｂよりも高い輝度を示すこと）を利用した、輝度効率の向上である。したがって、Ｒ，Ｇ，Ｂ，Ｚ（Ｗ）の４色のサブ画素構造において、Ｒ，Ｇ，Ｂの３色のサブ画素構造の場合と同一の輝度を実現しようとすると、各色用の映像信号の輝度レベルは、３色のサブ画素構造の場合と比べて小さくなる。具体的には、例えば図６（Ａ）中の矢印で示したように、ＲＧＢ／ＲＧＢＺ（Ｗ）変換処理前の画素信号Ｒ０，Ｇ０，Ｂ０の輝度レベルと比べ、ＲＧＢ／ＲＧＢＺ（Ｗ）変換処理後の画素信号Ｒ１，Ｇ１，Ｂ１の輝度レベルはそれぞれ小さくなる。
【００４１】
一方で、例えば図２に示したように、４色のサブ画素構造では、サブ画素２０Ｚ（２０Ｗ）が追加配置されていることに起因して、各サブ画素２０Ｒ，２０Ｇ，２０Ｂの面積は、３色のサブ画素構造の場合と比べて小さくなる。このため、サブ画素２０Ｚ（２０Ｗ）における高輝度特性を利用することができない場合には、逆に、画素信号Ｒ０，Ｇ０，Ｂ０の輝度レベルと比べ、画素信号Ｒ１，Ｇ１，Ｂ１の輝度レベルのほうが大きくなる。図６（Ｂ）は、この場合の一例を示したものであり、サブ画素２０Ｚがサブ画素２０Ｗである場合において、画素信号Ｒ０，Ｇ０，Ｂ０が赤単色信号である（画素信号Ｒ０においてのみ有効な（０ではない）輝度レベルが存在する）例を示している。ここで、白（Ｗ）は、Ｒ，Ｇ，Ｂの輝度レベルが同一であるときに表現される色であるため、このように画素信号Ｒ０，Ｇ０，Ｂ０が赤単色信号である場合、サブ画素２０Ｗを利用して、画素信号Ｒ１，Ｇ１，Ｂ１の輝度レベルを下げることはできない。したがって、この場合には、サブ画素２０Ｒの面積が、３色のサブ画素構造の場合と比べて上記のように相対的に小さくなっている分、図６（Ｂ）中の矢印で示したように、画素信号Ｒ０の輝度レベルよりも画素信号Ｒ１の輝度レベルのほうを大きくする必要が生じる。
【００４２】
これらのことから、４色のサブ画素構造では、各サブ画素２０Ｒ，２０Ｇ，２０Ｂの面積が小さくなる分、３色のサブ画素構造の場合と同一輝度を実現しようとすると、単純には、画素信号Ｒ０，Ｇ０，Ｂ０よりも画素信号Ｒ１，Ｇ１，Ｂ１の輝度レベルを大きくする必要がある。ただし、図６（Ａ）に示したように、サブ画素２０Ｚ（２０Ｗ）における高輝度特性を利用することができる場合には、画素信号Ｒ０，Ｇ０，Ｂ０の輝度レベルの一部を画素信号Ｚ１（Ｗ１）の輝度レベルに分配することにより、画素信号Ｒ１，Ｇ１，Ｂ１の輝度レベルを小さくすることができる。すなわち、画素信号Ｒ１，Ｇ１，Ｂ１，Ｚ１（Ｗ１）それぞれの輝度レベルを、画素信号Ｒ０，Ｇ０，Ｂ０の輝度レベルの最大値よりも低く抑えることが可能となる。
【００４３】
ただし、このときの画素信号Ｚ１への分配量を大きくしすぎると、例えば図６（Ａ）において、画素信号Ｒ１，Ｇ１，Ｂ１の輝度レベルよりも画素信号Ｚ１の輝度レベルのほうが大きくなってしまう。ここで、ＢＬレベル算出部４２１では、画素信号Ｄ１ｒ，Ｄ１ｇ，Ｄ１ｂ（Ｒ１，Ｇ１，Ｂ１）に基づいて点灯信号ＢＬ１を生成する際に、前述したように、例えば画素信号Ｄ１ｒ，Ｄ１ｇ，Ｄ１ｂのうちの最大値を用いる。したがって、以下の（６）式を満たすこと、すなわち、画素信号Ｚ１の輝度レベルが画素信号Ｒ１，Ｇ１，Ｂ１の輝度レベルのうちの最大値よりも小さい、という条件を満たす必要がある。
Ｚ１≦Ｍａｘ（Ｒ１，Ｇ１，Ｂ１）  ……（６）
【００４４】
（ＲＧＢ／ＲＧＢＺ変換処理の際の算出式）
まず、図７（Ａ），（Ｂ）に示したように、ＲＧＢ／ＲＧＢＺ変換処理前の画素信号Ｒ０，Ｇ０，Ｂ０の輝度レベルと、ＲＧＢ／ＲＧＢＺ変換処理後の画素信号Ｒ１，Ｇ１，Ｂ１，Ｚ１の輝度レベルとの間で、以下の関係（（７），（８）式）が成り立つものとする。すなわち、図７（Ａ）に示したように、（Ｒ０，Ｇ０，Ｂ０）＝（Ｘｒ，Ｘｇ，Ｘｂ）のとき、（Ｒ１，Ｇ１，Ｂ１，Ｚ１）＝（０，０，０，Ｘｚ）となるものとする。また、図７（Ｂ）に示したように、（Ｒ０，Ｇ０，Ｂ０）＝（１，１，１）のとき、（Ｒ１，Ｇ１，Ｂ１，Ｚ１）＝（Ｋｒ，Ｋｇ，Ｋｂ，０）となるものとする。なお、Ｘｒ＝Ｘｇ＝Ｘｂのときは、サブ画素２０Ｚが白のサブ画素２０Ｗとなっている場合に相当する。また、バックライト３におけるスペクトラムが、従来のＲ，Ｇ，Ｂの３色のサブ画素構造の場合と同じであり、かつ各サブ画素２０Ｒ，２０Ｇ，２０Ｂ，２０Ｚの幅（サブピクセル幅）が互いに同一となっている場合には、ｋｒ＝ｋｇ＝ｋｂとなる。
（Ｒ０，Ｇ０，Ｂ０）＝（Ｘｒ，Ｘｇ，Ｘｂ）
⇒（Ｒ１，Ｇ１，Ｂ１，Ｚ１）＝（０，０，０，Ｘｚ）  ……（７）
（Ｒ０，Ｇ０，Ｂ０）＝（１，１，１）
⇒（Ｒ１，Ｇ１，Ｂ１，Ｚ１）＝（Ｋｒ，Ｋｇ，Ｋｂ，０）  ……（８）
【００４５】
ここで、上記（７），（８）式を用いて、ＲＧＢ／ＲＧＢＺ変換処理後の画素信号Ｒ１，Ｇ１，Ｂ１の輝度レベルを表すと、それぞれ、以下（９）〜（１１）式のようになる。なお、画素信号Ｒ１，Ｇ１，Ｂ１の輝度レベルは、マイナス（負）の値には設定できないことから、これらの（９）〜（１１）式に加え、（Ｒ１，Ｇ１，Ｂ１）≧０という条件も必要である。
【００４６】
【数２】
0005593920.tif 000003
【００４７】
ここで、上記（９）〜（１１）式を全て満たす場合におけるＺ１の最大値が、最終的に生成されるＺ１の候補値の１つとなる。その場合の候補値をＺ１ａとすると、このＺ１ａは、（９）〜（１１）式における括弧内の値が０以上であるという条件を用いて求めることができ、以下の（１２）式により規定される。一方、上記（６）式で示したように、Ｚ１は、Ｒ１，Ｇ１，Ｂ１のうちの最大値よりも小さい、という条件を満たす必要がある。この条件により求められるＺ１の候補値をＺ１ｂとすると、このＺ１ｂは以下のようにして求められる。すなわち、Ｚ１ｂ＝Ｍａｘ（Ｒ１，Ｇ１，Ｂ１）とすると、Ｍａｘ（Ｒ１，Ｇ１，Ｂ１）＝Ｒ１のときＺ１ｂ＝Ｒ１，Ｍａｘ（Ｒ１，Ｇ１，Ｂ１）＝Ｇ１のときＺ１ｂ＝Ｇ１，Ｍａｘ（Ｒ１，Ｇ１，Ｂ１）＝Ｂ１のときＺ１ｂ＝Ｂ１となる。そして、これらの式を上記（９）〜（１１）式に代入して求めると、Ｚ１ｂは以下の（１３）式により規定されることになる。
【００４８】
【数３】
0005593920.tif 000004
【００４９】
ここで、上記（１３）式により求められたＺ１ｂを上記（９）〜（１１）式中のＺ１に代入したときに、これらの（９）〜（１１）式が成立する場合には、そのときのＺ１ｂが最終的に求められるＺ１となる（最適に分配されたＺ１となる）。この場合、そのときのＺ１ｂは、上記（１２）式により求められるＺ１ａに等しい値、もしくはそれよりも小さな値となっている。
【００５０】
一方、上記（１３）式により求められたＺ１ｂを上記（９）〜（１１）式中のＺ１に代入したときに、これらの（９）〜（１１）式が成立しない場合、上記（１２）式により求められるＺ１ａは、そのときのＺ１ｂよりも小さな値となる。なぜならば、（９）〜（１１）式が成立しないということは、Ｒ１，Ｇ１，Ｂ１のいずれかが負の値であることを意味しているからである。ここで、上記したように、（１２）式により求められるＺ１ａは、（９）〜（１１）式におけるＲ１，Ｇ１，Ｂ１の全てを正（プラス）の値とするものであることから、そのときのＺ１ａが（１３）式により求められるＺ１ｂよりも小さくなることは、（９）〜（１１）式により明らかである。ただし、このとき、（９）〜（１１）式中の係数ｋｒ，ｋｇ，ｋｂの値が全て正であるものとする。以上により、ＲＧＢ／ＲＧＢＺ変換処理の際には、上記（１２）式により求められるＺ１ａと、上記（１３）式により求められるＺ１ｂとのうちの小さいほうの値を、最終的なＺ１として選択すればよいことが分かる。
【００５１】
（ＲＧＢ／ＲＧＢＷ変換処理の際の算出式）
続いて、これまでの説明を基に、サブ画素２０Ｒ，２０Ｇ，２０Ｂ，２０Ｗからなる本実施の形態のサブ画素構造を用いた場合における、ＲＧＢ／ＲＧＢＷ変換部４２４全体でのＲＧＢ／ＲＧＢＷ変換処理の際の算出式について説明する。
【００５２】
まず、各サブ画素２０Ｒ，２０Ｇ，２０Ｂ，２０Ｗの幅（サブピクセル幅）は、画素２０の幅（ピクセル幅）の１／４となる。したがって、Ｒ，Ｇ，Ｂの３色のサブ画素構造の場合（各サブ画素の幅がピクセル幅の１／３）と比べ、各サブ画素２０Ｒ，２０Ｇ，２０Ｂ，２０Ｗの面積が３／４に減少する。このため、本実施の形態のようなＲ，Ｇ，Ｂ，Ｗの４色のサブ画素構造において、サブ画素２０Ｗを除くサブ画素２０Ｒ，２０Ｇ，２０Ｂのみで、従来の３色のサブ画素構造の場合と同一の輝度レベルを実現する場合、以下のようになる。すなわち、例えば図８（Ａ）に示したように、（Ｒ０，Ｇ０，Ｂ０）＝（１，０，０）の場合には、（Ｒ１，Ｇ１，Ｂ１，Ｗ１）＝（４／３，０，０，０）となり、４／３倍の輝度レベルが必要となる。また、逆に言うと、そのままの輝度レベルを用いた場合（ここでは、Ｒ１＝１とした場合）、輝度レベルは３／４倍に減少してしまう。
【００５３】
また、前述したように、Ｗに対応するサブ画素２０Ｗにはカラーフィルタが設けられていないため、このサブ画素２０Ｗのみで、Ｒ，Ｇ，Ｂの３色に対応するサブ画素２０Ｒ，２０Ｇ，２０Ｂにおいて合成される白色光と同一の輝度レベルを得ることが可能である。したがって、例えば図８（Ｂ）に示したように、（Ｒ０，Ｇ０，Ｂ０）＝（１，１，１）の場合、（Ｒ１，Ｇ１，Ｂ１，Ｗ１）＝（０，０，０，４／３）となる。
【００５４】
これらのことから、例えば図８（Ｃ）に示したように、（Ｒ０，Ｇ０，Ｂ０）＝（１，１，１）の場合、（Ｒ１，Ｇ１，Ｂ１，Ｗ１）＝（２／３，２／３，２／３，２／３）とすることができる。すなわち、従来のＲ，Ｇ，Ｂの３色のサブ画素構造の場合と同一の輝度レベルを、Ｒ，Ｇ，Ｂ，Ｗの４色のサブ画素構造では、各色とも２／３倍の輝度レベルで実現することができる。以上のことから、上記したＲＧＢ／ＲＧＢＺ変換に当てはめると、以下の（１４），（１５）式が成り立つ。
Ｘｒ＝Ｘｇ＝Ｘｂ＝１，Ｘｚ＝４／３  ……（１４）
Ｋｒ＝Ｋｇ＝Ｋｂ＝４／３  ……（１５）
【００５５】
また、上記した（９）〜（１１）式はそれぞれ、以下の（１６）〜（１８）式のように表わすことができる。また、Ｚ１の候補値Ｚ１ａ，Ｚ１ｂを規定する（１２），（１３）式はそれぞれ、Ｗ１の候補値Ｗ１ａ，Ｗ１ｂを規定する式として、以下の（１９），（２０）式のように表わすことができる。
【００５６】
【数４】
0005593920.tif 000005
【００５７】
【数５】
0005593920.tif 000006
【００５８】
次に、再び図５を参照して、以上の説明を踏まえつつ、ＲＧＢ／ＲＧＢＷ変換部４２４における各ブロックについて説明する。
【００５９】
Ｗ１算出部４２４−１は、画素信号Ｄ３ｒ，Ｄ３ｇ，Ｄ３ｂ（Ｒ０，Ｇ０，Ｂ０）に基づいて、上記（１９）式を用いることにより、Ｗ１の候補値であるＷ１ａを算出するものである。
【００６０】
Ｗ１算出部４２４−２は、画素信号Ｄ３ｒ，Ｄ３ｇ，Ｄ３ｂ（Ｒ０，Ｇ０，Ｂ０）に基づいて、上記（２０）式を用いることにより、Ｗ１の候補値であるＷ１ｂを算出するものである。
【００６１】
Ｍｉｎ選択部４２４−３は、Ｗ１算出部４２４−１から出力されるＷ１ａと、Ｗ１算出部４２４−２から出力されるＷ１ｂとのうちの値の小さいほうを選択し、最終的なＷ１（画素信号Ｄ４ｗ）として出力するものである。
【００６２】
乗算部４２４−４Ｒ，４２４−４Ｇ，４２４−４Ｂはそれぞれ、Ｍｉｎ選択部４２４−３から出力されるＷ１と、予め設定された定数（３／４）とを乗算して出力するものである。
【００６３】
減算部４２４−５Ｒは、画素信号Ｄ３ｒ（Ｒ０）から、乗算部４２４−４Ｒの出力値（乗算値）を減算して出力するものである。減算部４２４−５Ｇは、画素信号Ｄ３ｇ（Ｇ０）から、乗算部４２４−４Ｇの出力値（乗算値）を減算して出力するものである。減算部４２４−５Ｂは、画素信号Ｄ３ｂ（Ｂ０）から、乗算部４２４−４Ｂの出力値（乗算値）を減算して出力するものである。
【００６４】
乗算部４２４−６Ｒは、予め設定された定数（４／３）と、減算部４２４−５Ｒの出力値（減算値）とを乗算し、画素信号Ｄ４ｒ（Ｒ１）として出力するものである。乗算部４２４−６Ｇは、予め設定された定数（４／３）と、減算部４２４−５Ｇの出力値（減算値）とを乗算し、画素信号Ｄ４ｇ（Ｇ１）として出力するものである。乗算部４２４−６Ｂは、予め設定された定数（４／３）と、減算部４２４−５Ｂの出力値（減算値）とを乗算し、画素信号Ｄ４ｂ（Ｂ１）として出力するものである。
【００６５】
［液晶表示装置１の作用・効果］
続いて、本実施の形態の液晶表示装置１の作用および効果について説明する。
【００６６】
（１．表示動作の概要）
この液晶表示装置１では、図１に示したように、まず、映像信号処理部４１が入力映像信号Ｄinに対して所定の画像処理を行うことにより、映像信号Ｄ１（Ｄ１ｒ，Ｄ１ｇ，Ｄ１ｂ）を生成する。次に、出力信号生成部４２は、この映像信号Ｄ１に対して所定の信号処理を行う。これにより、バックライト３における点灯信号ＢＬ１と、液晶表示パネル２における映像信号Ｄ４（Ｄ４ｒ，Ｄ４ｇ，Ｄ４ｂ，Ｄ４ｚ）とが、それぞれ生成される。
【００６７】
次いで、このようにして生成された映像信号Ｄ４および点灯信号ＢＬ１はそれぞれ、タイミング制御部４３へ入力される。このうち、映像信号Ｄ４は、タイミング制御部４３からデータドライバ５１へ供給される。データドライバ５１は、この映像信号Ｄ４に対してＤ／Ａ変換を施し、アナログ信号である映像電圧を生成する。そして、ゲートドライバ５２およびデータドライバ５１から出力される各画素２０（各サブ画素２０Ｒ，２０Ｇ，２０Ｂ，２０Ｗ）への駆動電圧によって、表示駆動動作がなされる。これにより、映像信号Ｄ４（Ｄ４ｒ，Ｄ４ｇ，Ｄ４ｂ，Ｄ４ｗ）に基づく表示駆動が、液晶表示パネル２内の各画素２０（各サブ画素２０Ｒ，２０Ｇ，２０Ｂ，２０Ｗ）に対してなされる。
【００６８】
具体的には、図３に示したように、ゲートドライバ５２からゲート線Ｇを介して供給される選択信号に応じて、ＴＦＴ素子２１のオン・オフ動作が切り替えられる。これにより、データ線Ｄと液晶素子２２および補助容量素子２３との間が選択的に導通される。その結果、データドライバ５１から供給される映像信号Ｄ４に基づく映像電圧が液晶素子２２へと供給され、線順次の表示駆動動作がなされる。
【００６９】
一方、点灯信号ＢＬ１は、タイミング制御部４３からバックライト駆動部５０へ供給される。バックライト駆動部５０は、この点灯信号ＢＬ１に基づいて、バックライト３内の各光源（各発光素子）に対する発光駆動（点灯駆動）を行う。具体的には、入力映像信号Ｄinの輝度レベル（信号レベル）に応じた発光駆動（発光輝度のアクティブ制御（動的制御））を行う。
【００７０】
このとき、映像電圧が供給された画素２０（サブ画素２０Ｒ，２０Ｇ，２０Ｂ，２０Ｗ）では、バックライト３からの照明光が液晶表示パネル２において変調され、表示光として出射される。これにより、入力映像信号Ｄinに基づく映像表示が、液晶表示装置１において行われる。
【００７１】
この際、本実施の形態では、４色のサブ画素２０Ｒ，２０Ｇ，２０Ｂ，２０Ｗに対応する映像信号を用いて映像表示がなされることにより、従来のＲ，Ｇ，Ｂの３色のサブ画素に対応する映像信号を用いて映像表示を行う場合と比べ、輝度効率が向上する。また、バックライト３に対して、入力映像信号Ｄinの輝度レベルに応じた発光輝度のアクティブ駆動がなされることにより、表示輝度を保持しつつ、低消費電力化やダイナミックレンジの拡大を図ることができる。
【００７２】
（２．色度点調整について）
次に、本発明の特徴的部分の１つである、Ｒ，Ｇ，Ｂ，Ｗの４色のサブ画素構造を用いた場合における色度点調整について、比較例と比較しつつ詳細に説明する。
【００７３】
（比較例）
まず、液晶表示装置では一般に、バックライトから液晶層へ入射した光が映像信号の信号レベルに応じて変調され、透過光（表示光）の光量（輝度）が制御される。この液晶層からの透過光の分光特性は階調依存性を示し、映像信号の信号レベルが低くなるのに従って、透過率ピークが短波長側（青色光側）にシフトする（例えば、図９参照）。ここで、Ｒ，Ｇ，Ｂ，Ｚ（Ｗ）の４色のサブ画素構造を用いた液晶表示装置では、Ｚ（Ｗ）のサブ画素において高輝度特性を示すことから、このＺ（Ｗ）のサブ画素からの透過光の分光特性が、映像信号の信号レベルに応じて大きく変化する。このため、画素全体からの透過光（表示光）の色度点も、映像信号の信号レベルに依存して大きくずれることになる。特に、本実施の形態のように、Ｚのサブ画素としてＷのサブ画素（サブ画素２０Ｗ）を採用した場合には、このＷのサブ画素内には、前述したようにカラーフィルタが配置されていないことから、このような信号レベルに応じた表示光の色度点の変動が大きくなる。
【００７４】
例えば、Ｗのサブ画素における透過率が相対的に高い液晶分光特性を示すように、つまりＧの波長領域付近に透過率ピークが位置するように、Ｗのサブ画素でのセル厚や駆動電圧を設定した場合（例えば、図１０参照）、以下のようになる。すなわち、例えば図９に示したように、Ｗのサブ画素での最大信号レベルよりも低い信号レベルにおいて、Ｂの波長領域に透過率ピークを持つようになる。なお、図１０は、Ｒ，Ｇ，Ｂ，Ｗの各サブ画素における分光透過率を示したものである。
【００７５】
ここで、Ｒ，Ｇ，Ｂ，Ｗの４色のサブ画素構造における色再現特性をＨＳＶ色空間において表わすと、上記したＷのサブ画素における透過率ピークの変動がないものとすると、理想的には例えば図１１に示したようになる。すなわち、白色色度点を中心とした回転対象の色空間となる。ただし、実際には、上記したように信号レベルに応じてＷのサブ画素における透過率ピークの変動が生じるため、比較例（従来）に係るＲ，Ｇ，Ｂ，Ｗの４色のサブ画素構造における色再現特性は、例えば図１２に示したようになる。すなわち、白（Ｗ）から青（Ｂ）側の色（色相）において、明るい（明度Ｖの値が大きい）領域が存在する一方、黄色（Ｙ）を中心としてマゼンダ（Ｍ）からシアン（Ｃ）の色範囲（色相）において、暗い（明度Ｖの値が小さい）領域が存在することになる。なお、例えば図１１，図１２に示したＨＳＶ空間における明度Ｖに対して白輝度改善比率を乗じたものが、Ｒ，Ｇ，Ｂ，Ｗの４色のサブ画素構造を用いた液晶表示装置における白輝度改善比率を考慮したＨＳＶ色空間となる。このときの明度Ｖの値が大きいほど、消費電力の削減効果が高いことを示すことになる。
【００７６】
また、図１３は、この比較例に係るＲ，Ｇ，Ｂ，Ｗの４色のサブ画素構造における、Ｗのサブ画素の信号レベル（Ｗ信号の信号レベル）と、前述した（Ｗｒ，Ｗｇ，Ｗｂ）（Ｗのサブ画素における信号レベルを、Ｒ，Ｇ，Ｂのサブ画素における信号レベルに置き換えた値）との関係の一例を表したものである。ここで、仮に、例えば図１１に示した場合のように、Ｗのサブ画素における透過率ピークの変動がないものとすると、Ｗ信号の信号レベルとＷｒ，Ｗｇ，Ｗｂとはそれぞれ、比例関係となる（線形性を示す）。ただし、この比較例では、上記したように、信号レベルに応じてＷのサブ画素における透過率ピークの変動が生じるため、Ｗｒ，Ｗｇ，Ｗｂはそれぞれ、Ｗ信号の信号レベルに依存した傾きを持つ関数となっている（非線形性を示している）。
【００７７】
ここで、この比較例に係る映像信号Ｄ２から映像信号Ｄ３への変換行列Ｍd2→d3を設定すると、以下の（２１）式で示したようになる。具体的には、この比較例に係る変換行列Ｍd2→d3は、以下のようにして設定される。すなわち、まず前提として、Ｒ，Ｇ，Ｂの３色に対応する映像信号（例えば、映像信号Ｄ２）と、Ｒ，Ｇ，Ｂ，Ｗの４色に対応する映像信号（例えば、映像信号Ｄ３）とにおける原色色度点が互いに同一となっている。また、映像信号Ｄ２がＷを示す（全白信号；Ｄ２ｒ＝Ｄ２ｇ＝Ｄ２ｂ＝１）のときに、映像信号Ｄ３の信号レベルが最大となるように（Ｄ３ｒ＝Ｄ３ｇ＝Ｄ３ｂ＝Ｄ３ｗ＝１）、設定されている。なお、この（２１）式において、Ｗmaxr，Ｗmaxg，Ｗmaxbはそれぞれ、Ｄ３ｗ＝１のときにおけるＷｒ，Ｗｇ，Ｗｂに対応する。
【００７８】
【数６】
0005593920.tif 000007
【００７９】
次いで、図１４（Ａ）は、比較例に係るＲ，Ｇ，Ｂ，Ｗの４色のサブ画素構造における、彩度Ｓと明度Ｖとの関係の一例を、前述した図１２中でのＢ，Ｙの各色相について表したものである。具体的には、Ｂ，Ｙの各色相について彩度Ｓを０から１まで変化させたときにおける、明度Ｖの値を示している。また、図１４（Ｂ）は、図１４（Ａ）に示した特性において、彩度Ｓと明度Ｖの逆数（１／Ｖmax）との関係を表したものである。この明度Ｖの逆数（１／Ｖmax）の値が小さいほど、Ｒ，Ｇ，Ｂ，Ｗの４色のサブ画素構造における消費電力の削減率（Ｒ，Ｇ，Ｂの３色のサブ画素構造の場合に対する削減率）が高いことを示している。また、この明度Ｖの逆数（１／Ｖmax）の値が１を超える場合には、Ｒ，Ｇ，Ｂ，Ｗの４色のサブ画素構造における表示輝度が低下（Ｒ，Ｇ，Ｂの３色のサブ画素構造の場合と比べて低下）してしまうことを意味する。ただし、この図１４（Ｂ）（およびこれ以降の同様の図）においては、明度Ｖの逆数（１／Ｖmax）の値が１を超える場合についても、値を１として示している。
【００８０】
これらの図１４（Ａ），（Ｂ）により、Ｒ，Ｇ，Ｂに対応する映像信号の最大値の色相がＢ近傍にある場合には、消費電力の削減率が相対的に低くなると共に、Ｙの色相において彩度Ｓの値が０．６よりも大きい場合に、表示輝度の低下が生じていることが分かる。一般に、自然画（太陽光で照明された物体色）では、Ｙ近傍の色相に映像信号の最大値が存在することが多いことから、この比較例では、黄色の表示輝度の低下が頻繁に生じることになる。なお、この場合における比較例に係る変換行列Ｍd2→d3は、例えば以下の（２２）式に示したようになる。
【００８１】
【数７】
0005593920.tif 000008
【００８２】
以上のように、この比較例に係るＲ，Ｇ，Ｂ，Ｚの４色のサブ画素構造を用いた液晶表示装置では、映像信号の信号レベルに応じて表示光の色度点の変動（色ずれ）が生じてしまい、画質が低下してしまうことになる。また、バックライト輝度のアクティブ制御を併用した場合には、低消費電力化やダイナミックレンジの拡大といった利点を十分には得られない場合が生じる。
【００８３】
（本実施の形態の色度点調整）
これに対して本実施の形態では、まず、バックライト３からの射出光の色度点が、白色色度点から外れた位置に設定されている。具体的には、ここでは、バックライト３からの射出光の色度点が、白色色度点よりも黄色（Ｙ）側に設定されている。これにより、例えば図１５に示した実施例におけるＨＳＶ色空間での色再現特性のように、図１２に示した比較例と比べ、黄色（Ｙ）を中心としてマゼンダ（Ｍ）からシアン（Ｃ）の色範囲（色相）において、明るい（明度Ｖの値が大きい）領域を生じさせることができる。
【００８４】
ただし、このようなバックライト３からの射出光の色度点を、一律に白色色度点から外れるように（Ｙ側となるように）設定すると、以下の問題が生じる。すなわち、映像信号Ｄ２がＷを示す（全白信号；Ｄ２ｒ＝Ｄ２ｇ＝Ｄ２ｂ＝１）の場合においても、表示光の色度点がＹ側になってしまう（色温度が低くなる）ため、白色色度点からずれてしまう。
【００８５】
そこで、本実施の形態では更に、出力信号生成部４２内の色度点調整部４２３において、映像信号Ｄ２（Ｄ２ｒ，Ｄ２ｇ，Ｄ２ｂ）に対して所定の色度点調整を行うことにより、映像信号Ｄ３（Ｄ３ｒ，Ｄ３ｇ，Ｄ３ｂ）を生成する。具体的には、映像信号Ｄ２（Ｄ１）がＷを示す映像信号であるときに、バックライト３からの射出光に基づいて液晶表示パネル２から射出される表示光の色度点が白色色度点となるように、色度点調整を行う。そして、ＲＧＢ／ＲＧＢＷ変換部４２４は、そのような色度点調整後の映像信号Ｄ３（Ｄ３ｒ，Ｄ３ｇ，Ｄ３ｂ）に対して前述したＲＧＢ／ＲＧＢＷ変換処理を行い、Ｒ，Ｇ，Ｂ，Ｗの４色に対応する映像信号Ｄ４（Ｄ４ｒ，Ｄ４ｇ，Ｄ４ｂ，Ｄ４ｗ）を生成する。
【００８６】
この際、色度点調整部４２３は、例えば前述した（４）式により規定される変換行列Ｍd2→d3を用いて、そのような色度点調整を行う。すなわち、映像信号Ｄ２（画素信号Ｄ２ｒ，Ｄ２ｇ，Ｄ２ｂ）に対して変換行列Ｍd2→d3を乗算する（行列演算を行う）ことにより、映像信号Ｄ３（画素信号Ｄ３ｒ，Ｄ３ｇ，Ｄ３ｂ）を生成する。
【００８７】
これにより本実施の形態では、映像信号Ｄ４ｗの輝度レベル（信号レベル）の大小に応じて、サブ画素２０Ｗからの出射光（透過光）におけるピーク波長領域が変動したとしても、映像信号Ｄ２がＷを示す映像信号であるときに、表示光の色度点が白色色度点を示すようになる。すなわち、そのようなサブ画素２０Ｗからの出射光におけるピーク波長領域の変動に起因した、表示光の色ずれが抑えられる。
【００８８】
具体的には、例えば図１６（Ａ），（Ｂ）に示した実施例１では、バックライト３からの射出光の色度点（ｘ，ｙ）を、（ｘ，ｙ）＝（０．３００，０．３１０）（色温度：約８０００Ｋ）に設定した。また、上記した変換行列Ｍd2→d3として、以下の（２３）式で示したものを用いた。これにより、映像信号Ｄ２がＷを示す映像信号であるときに、表示光の色度点（ｘ，ｙ）が、（ｘ，ｙ）＝（０．２８０，０．２８８）（色温度：約１００００Ｋ）を示した。なお、図１６（Ａ），（Ｂ）は、実施例１に係る彩度Ｓと明度Ｖまたはこの明度Ｖの逆数（１／Ｖmax）との関係を、前述した図１４（Ａ），（Ｂ）と同様にＢ，Ｙの各色相について表したものである。これらの図１６（Ａ），（Ｂ）により、この実施例１では、図１４（Ａ），（Ｂ）に示した上記比較例と比べ、表示光の色ずれが抑えられている（Ｂ，Ｙの色相間でのずれが低減している）ことが分かる。また、この実施例１では、Ｙの色相において、彩度Ｓの値が０〜０．８程度まで正しい表示輝度が再現されている（表示輝度の低下が生じていない）ことが分かる。
【００８９】
【数８】
0005593920.tif 000009
【００９０】
また、例えば図１７（Ａ），（Ｂ）に示した実施例２では、バックライト３からの射出光の色度点（ｘ，ｙ）を、（ｘ，ｙ）＝（０．３０４，０．３２２）に設定した。また、上記した変換行列Ｍd2→d3として、以下の（２４）式で示したものを用いた。これにより、映像信号Ｄ２がＷを示す映像信号であるときに、表示光の色度点（ｘ，ｙ）が、（ｘ，ｙ）＝（０．２８０，０．２８８）（色温度：約１００００Ｋ）を示した。なお、図１７（Ａ），（Ｂ）は、実施例２に係る彩度Ｓと明度Ｖまたはこの明度Ｖの逆数（１／Ｖmax）との関係を、前述した図１４（Ａ），（Ｂ）と同様にＢ，Ｙの各色相について表したものである。これらの図１７（Ａ），（Ｂ）により、この実施例２においても、図１４（Ａ），（Ｂ）に示した上記比較例と比べ、表示光の色ずれが抑えられている（Ｂ，Ｙの色相間でのずれが低減している）ことが分かる。また、この実施例２においても、Ｙの色相において、彩度Ｓの値が０〜０．８程度まで正しい表示輝度が再現されている（表示輝度の低下が生じていない）ことが分かる。更に、この実施例２では、彩度Ｓの値が０．６〜０．７程度の領域において、Ｂ，Ｙの色相同士での明度Ｖおよびその逆数（１／Ｖmax）の値のバランスが取られている（バランスが良好となっている）。
【００９１】
【数９】
0005593920.tif 000010
【００９２】
以上のように本実施の形態では、バックライト３からの射出光の色度点を白色色度点から外れた位置に設定すると共に、映像信号Ｄ２がＷを示す映像信号であるときに、バックライト３からの射出光に基づいて液晶表示パネル２から射出される表示光の色度点が白色色度点となるように色度点調整を行うようにしたので、サブ画素２０Ｗからの出射光におけるピーク波長領域の変動に起因した表示光の色ずれを抑えることができる。よって、Ｒ，Ｇ，Ｂ，Ｚの４色のサブ画素構造を用いて映像表示を行う際に、色ずれによる画質低下を抑制することが可能となる。また、Ｒ，Ｇ，Ｂ，Ｗの４色のサブ画素構造を用いて映像表示を行う際における、表示輝度低下も抑えることができる。更に、Ｙ近傍の輝度が高い画像においても、画像の破綻を抑えつつ消費電力の削減を行うことが可能となる。
【００９３】
また、出力信号生成部４２内において、ＢＬレベル算出部４２１およびＬＣＤレベル算出部４２２によってディミング処理を行い、このディミング処理後の映像信号Ｄ２（Ｄ２ｒ，Ｄ２ｇ，Ｄ２ｂ）に基づいて、色度点調整部４２３によって上記色度調整を行うと共にＲＧＢ／ＲＧＢＷ変換部４２４によってＲＧＢ／ＲＧＢＷ変換（色変換処理）を行うようにしたので、上記した色ずれによる画質低下を更に抑えることが可能となる。すなわち、ＲＧＢ／ＲＧＢＷ変換後の映像信号（Ｒ，Ｇ，Ｂ，Ｗの４色に対応する映像信号）に対してディミング処理を行う場合と比べ、サブ画素２０Ｗからの出射光（透過光）におけるピーク波長領域の変動に起因した、Ｗ信号の信号レベルに依存したＷｒ，Ｗｇ，Ｗｂの非線形性を低減することができるため、そのような色ずれによる画質低下を更に抑えることが可能となる。
【００９４】
更に、本実施の形態の画素２０は、後述するサブ画素２０Ｚの一例として、Ｗに対応するサブ画素２０Ｗを含んでいるようにしたので、このサブ画素２０Ｗにはカラーフィルタを設ける必要がなくなり、特に輝度効率の向上（低消費電力化）を図ることが可能となる。
【００９５】
＜変形例＞
続いて、上記実施の形態の変形例（変形例１，２）について説明する。なお、上記実施の形態と同一の構成要素については同一符号を付してその説明を適宜省略する。
【００９６】
［変形例１］
変形例１に係る液晶表示装置は、上記実施の形態の液晶表示装置１において、サブ画素２０Ｗにおける分光透過率の青成分を制限するため、更に、このサブ画素２０Ｗ内に、微量の黄色顔料を分散させるようにしたものである。
【００９７】
ここで、そのような黄色顔料としては、例えば、C.I. Pigment Yellow １、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１４７、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８７、１８８、１９３、１９４、１９８、１９９、２１３、２１４などが挙げられる。
【００９８】
これにより、本変形例では、例えば図１８に示した実施例３のように、画素信号Ｄ４ｗの輝度レベル（信号レベル）の大小に応じた、サブ画素２０Ｗからの出射光（透過光）におけるピーク波長領域の変動が抑えられる。また、例えば図１９に示したように、そのようなサブ画素２０Ｗからの出射光（透過光）におけるピーク波長領域の変動に起因した、Ｗ信号の信号レベルに依存したＷｒ，Ｗｇ，Ｗｂの非線形性も低減する。なお、この図１９に示した特性において、Ｗ信号の信号レベルが低い領域でのＷｒ，Ｗｇ，Ｗｂが互いに近い値を示すこととなるように、上記した黄色顔料の添加量（分散量）を設定するのが望ましい。
【００９９】
ここで、図２０（Ａ），（Ｂ）は、この実施例３に係る彩度Ｓと明度Ｖまたはこの明度Ｖの逆数（１／Ｖmax）との関係を、前述した図１４（Ａ），（Ｂ）と同様にＢ，Ｙの各色相について表したものである。この実施例３では、バックライト３からの射出光の色度点（ｘ，ｙ）を、（ｘ，ｙ）＝（０．３０２，０．３２６）に設定した。また、上記した変換行列Ｍd2→d3として、以下の（２５）式で示したものを用いた。これにより、映像信号Ｄ２がＷを示す映像信号であるときに、表示光の色度点（ｘ，ｙ）が、（ｘ，ｙ）＝（０．２８０，０．２８８）（色温度：約１００００Ｋ）を示した。これらの図２０（Ａ），（Ｂ）により、この実施例３においても、図１４（Ａ），（Ｂ）に示した上記比較例と比べ、表示光の色ずれが抑えられている（Ｂ，Ｙの色相間でのずれが低減している）ことが分かる。また、この実施例３においても、Ｙの色相において、彩度Ｓの値が０〜０．８程度まで正しい表示輝度が再現されている（表示輝度の低下が生じていない）ことが分かる。更に、この実施例３では、彩度Ｓの値が０．６〜０．８程度の領域において、Ｂ，Ｙの色相同士での明度Ｖおよびその逆数（１／Ｖmax）の値のバランスが取られている（バランスが良好となっている）。
【０１００】
【数１０】
0005593920.tif 000011
【０１０１】
このように本変形例では、サブ画素２０Ｗ内に微量の黄色顔料を分散させるようにしたので、上記実施の形態における効果に加え、広範囲の彩度Ｓにおいて、Ｂ，Ｙの色相同士での明度Ｖおよびその逆数（１／Ｖmax）の値のバランスを取る（バランスを良好に保つ）ことが可能となる。
【０１０２】
［変形例２］
変形例２に係る液晶表示装置は、上記実施の形態の液晶表示装置１において、画素２０を有する液晶表示パネル２の代わりに、画素２０−１を有する液晶表示パネルを設けると共に、ＲＧＢ／ＲＧＢＷ変換部４２４の代わりにＲＧＢ／ＲＧＢＺ変換部４２４Ａを設けるようにしたものである。
【０１０３】
（画素２０−１のサブ画素構造）
図２１（Ａ），（Ｂ）はそれぞれ、本変形例の各画素２０−１におけるサブ画素（サブピクセル）構造例を平面模式図で表わしたものであり、上記実施の形態における図２（Ａ），（Ｂ）にそれぞれ対応したものとなっている。各画素２０−１は、上記実施の形態と同様のＲ，Ｇ，Ｂの３色に対応するサブ画素２０Ｒ，２０Ｇ，２０Ｂと、これらの３色よりも高輝度を示す色（Ｚ）のサブ画素２０Ｚとを有している。この高輝度を示す色（Ｚ）としては、例えば黄（Ｙ）や白（Ｗ）等が挙げられるが、本変形例では、これらの上位概念としての色（Ｚ）として説明する。これらＲ，Ｇ，Ｂ，Ｚの４色のサブ画素２０Ｒ，２０Ｇ，２０Ｂ，２０Ｚのうち、Ｒ，Ｇ，Ｂの３色に対応するサブ画素２０Ｒ，２０Ｇ，２０Ｂには、上記実施の形態と同様に、Ｒ，Ｇ，Ｂの各色に対応するカラーフィルタ２４Ｒ，２４Ｇ，２４Ｂが配設されている。一方、Ｚのサブ画素２０Ｚでは、例えばＺ＝Ｙの場合にはＹに対応するカラーフィルタ（図中に示したカラーフィルタ２４Ｚ）が配設される。ただし、上記実施の形態で説明したように、Ｚ＝Ｗの場合、このサブ画素２０Ｚ（サブ画素２０Ｗ）には、カラーフィルタは配設されないようになっている。なお、本変形例の画素２０−１においても、各サブ画素２０Ｒ，２０Ｇ，２０Ｂ，２０Ｚの配置構成はこれらの例には限られず、他の配置構成としてもよい。
【０１０４】
（ＲＧＢ／ＲＧＢＺ変換部４２４Ａ）
ＲＧＢ／ＲＧＢＺ変換部４２４Ａは、色度点調整部４２３から出力される、Ｒ，Ｇ，Ｂの３色に対応する映像信号Ｄ３（画素信号Ｄ３ｒ，Ｄ３ｇ，Ｄ３ｂ）に対して、所定のＲＧＢ／ＲＧＢＺ変換処理（色変換処理）を行うものである。これにより、Ｒ，Ｇ，Ｂ，Ｚの４色に対応する映像信号Ｄ４（Ｄ４ｒ，Ｄ４ｇ，Ｄ４ｂ，Ｄ４ｚ）が生成されるようになっている。
【０１０５】
図２２は、ＲＧＢ／ＲＧＢＺ変換部４２４Ａのブロック構成を表したものである。このＲＧＢ／ＲＧＢＺ変換部４２４Ａは、Ｚ１算出部４２４Ａ−１、Ｚ１算出部４２４Ａ−２、Ｍｉｎ選択部４２４Ａ−３、乗算部４２４Ａ−４Ｒ，４２４Ａ−４Ｇ，４２４Ａ−４Ｂ、減算部４２４Ａ−５Ｒ，４２４Ａ−５Ｇ，４２４Ａ−５Ｂおよび乗算部４２４Ａ−６Ｒ，４２４Ａ−６Ｇ，４２４Ａ−６Ｂを有している。ここでは、入力信号である画素信号Ｄ３ｒ，Ｄ３ｇ，Ｄ３ｂをそれぞれ、Ｒ０，Ｇ０，Ｂ０と、出力信号である画素信号Ｄ４ｒ，Ｄ４ｇ，Ｄ４ｂ，Ｄ４ｚをそれぞれ、Ｒ１，Ｇ１，Ｂ１，Ｚ１として説明する。なお、このＲＧＢ／ＲＢＧＺ変換部４２４Ａ全体におけるＲＧＢ／ＲＧＢＺ変換処理の際の算出式は、基本的には、上記実施の形態で説明したＲＧＢ／ＲＧＢＷ変換処理の際の算出式と同様のものとなっている。
【０１０６】
Ｚ１算出部４２４Ａ−１は、画素信号Ｄ３ｒ，Ｄ３ｇ，Ｄ３ｂ（Ｒ０，Ｇ０，Ｂ０）に基づいて、前述した（１２）式を用いることにより、Ｚ１の候補値であるＺ１ａを算出するものである。
【０１０７】
Ｚ１算出部４２４Ａ−２は、画素信号Ｄ３ｒ，Ｄ３ｇ，Ｄ３ｂ（Ｒ０，Ｇ０，Ｂ０）に基づいて、上記（１３）式を用いることにより、Ｚ１の候補値であるＺ１ｂを算出するものである。
【０１０８】
Ｍｉｎ選択部４２４Ａ−３は、Ｚ１算出部４２４Ａ−１から出力されるＺ１ａと、Ｚ１算出部４２４Ａ−２から出力されるＺ１ｂとのうちの値の小さいほうを選択し、上記したように、最終的なＺ１（画素信号Ｄ４ｚ）として出力するものである。
【０１０９】
乗算部４２４Ａ−４Ｒは、Ｍｉｎ選択部４２４Ａ−３から出力されるＺ１と、上記実施の形態で説明した、予め設定された定数（Ｘｒ／Ｘｚ）とを乗算して出力するものである。乗算部４２４Ａ−４Ｇは、Ｍｉｎ選択部４２４Ａ−３から出力されるＺ１と、上記実施の形態で説明した、予め設定された定数（Ｘｇ／Ｘｚ）とを乗算して出力するものである。乗算部４２４Ａ−４Ｂは、Ｍｉｎ選択部４２４Ａ−３から出力されるＺ１と、上記実施の形態で説明した、予め設定された定数（Ｘｂ／Ｘｚ）とを乗算して出力するものである。
【０１１０】
減算部４２４Ａ−５Ｒは、画素信号Ｄ３ｒ（Ｒ０）から、乗算部４２４Ａ−４Ｒの出力値（乗算値）を減算して出力するものである。減算部４２４Ａ−５Ｇは、画素信号Ｄ３ｇ（Ｇ０）から、乗算部４２４Ａ−４Ｇの出力値（乗算値）を減算して出力するものである。減算部４２４Ａ−５Ｂは、画素信号Ｄ３ｂ（Ｂ０）から、乗算部４２４Ａ−４Ｂの出力値（乗算値）を減算して出力するものである。
【０１１１】
乗算部４２４Ａ−６Ｒは、上記実施の形態で説明した、予め設定された定数ｋｒと、減算部４２４Ａ−５Ｒの出力値（減算値）とを乗算し、画素信号Ｄ４ｒ（Ｒ１）として出力するものである。乗算部４２４Ａ−６Ｇは、上記実施の形態で説明した、予め設定された定数ｋｇと、減算部４２４Ａ−５Ｇの出力値（減算値）とを乗算し、画素信号Ｄ４ｇ（Ｇ１）として出力するものである。乗算部４２４Ａ−６Ｂは、上記実施の形態で説明した、予め設定された定数ｋｂと、減算部４２４Ａ−５Ｂの出力値（減算値）とを乗算し、画素信号Ｄ４ｂ（Ｂ１）として出力するものである。
【０１１２】
このような構成の本変形例の液晶表示装置においても、上記実施の形態の液晶表示装置１と同様の作用により、同様の効果を得ることが可能である。すなわち、Ｒ，Ｇ，Ｂ，Ｚの４色のサブ画素構造を用いて映像表示を行う際に、色ずれによる画質低下を抑制することが可能となる。
【０１１３】
なお、本変形例の液晶表示装置においても、上記変形例１のように、サブ画素２０Ｗ内に微量の黄色顔料を分散させるようにしてもよい。
【０１１４】
＜その他の変形例＞
以上、実施の形態および変形例を挙げて本発明を説明したが、本発明はこれらの実施の形態等に限定されず、種々の変形が可能である。
【０１１５】
例えば、上記実施の形態等では、バックライトに対して、画面全体を制御単位としてアクティブ制御を行う場合について説明したが、例えば、画面を複数の領域に分割し、それぞれの領域に対応してバックライトをアクティブ制御するようにしてもよい。
【０１１６】
また、上記実施の形態では、バックライトに対して映像信号に応じたアクティブ制御を行う場合について説明したが、本発明は、そのようなバックライトのアクティブ制御を行わない場合においても適用することが可能である。
【０１１７】
更に、上記実施の形態等では、Ｒ，Ｇ，Ｂ，Ｚの４色のサブ画素構造を用いた場合について説明したが、これらに加えて他の色に対応するサブ画素を含めた５色以上のサブ画素構造においても、本発明を適用することが可能である。
【０１１８】
加えて、上記実施の形態等において説明した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされるようになっている。このようなプログラムは、コンピュータに内蔵されている記録媒体に予め記録してさせておくようにしてもよい。
【符号の説明】
【０１１９】
１…液晶表示装置、２…液晶表示パネル、２０，２０−１…画素、２０Ｒ，２０Ｇ，２０Ｂ，２０Ｗ，２０Ｚ…サブ画素、２１…ＴＦＴ素子、２２…液晶素子、２３…補助容量素子、２４Ｒ，２４Ｇ，２４Ｂ，２４Ｚ…カラーフィルタ、３…バックライト、４１…映像信号処理部、４２…出力信号生成部、４２１…ＢＬレベル算出部、４２２…ＬＣＤレベル算出部、４２３…色度点調整部、４２４，４２４Ａ…ＲＧＢ／ＲＧＢＷ変換部、４３…タイミング制御部、５０…バックライト駆動部、５１…データドライバ、５２…ゲートドライバ、Ｄin…入力映像信号、Ｄ１（Ｄ１ｒ，Ｄ１ｇ，Ｄ１ｂ），Ｄ２（Ｄ２ｒ，Ｄ２ｇ，Ｄ２ｂ），Ｄ３（Ｄ３ｒ，Ｄ３ｇ，Ｄ３ｂ），Ｄ４（Ｄ４ｒ，Ｄ４ｇ，Ｄ４ｂ，Ｄ４ｗ，Ｄ４ｚ）…映像信号、ＢＬ１…点灯信号、Ｄ…データ線、Ｇ…ゲート線、Ｃｓ…補助容量線。
【図１】
0005593920.tif 000012
【図２】
0005593920.tif 000013
【図３】
0005593920.tif 000014
【図４】
0005593920.tif 000015
【図５】
0005593920.tif 000016
【図６】
0005593920.tif 000017
【図７】
0005593920.tif 000018
【図８】
0005593920.tif 000019
【図９】
0005593920.tif 000020
【図１０】
0005593920.tif 000021
【図１１】
0005593920.tif 000022
【図１２】
0005593920.tif 000023
【図１３】
0005593920.tif 000024
【図１４】
0005593920.tif 000025
【図１５】
0005593920.tif 000026
【図１６】
0005593920.tif 000027
【図１７】
0005593920.tif 000028
【図１８】
0005593920.tif 000029
【図１９】
0005593920.tif 000030
【図２０】
0005593920.tif 000031
【図２１】
0005593920.tif 000032
【図２２】
0005593920.tif 000033